【事件の表示】
　平成　４年特許願第１６９４３１号「自動販売機」拒絶査定に対する審判事件［平成　６年　１月２１日出願公開、特開平　６−　１２５５５］について、次のとおり審決する。
【結　論】
　本件審判の請求は、成り立たない。
【理　由】
１．手続の経緯、本願発明
　本願は、平成４年６月２６日の出願であって、その請求項１に係る発明は、平成１３年１月２２日及び平成１３年９月２０日付け手続補正書によって補正された明細書及び図面の記載からみて、その特許請求の範囲の請求項１に記載された次のとおりのものと認める（以下、「本願発明」という）。
　「一台の圧縮機と、各々の冷却運転時に該圧縮機からの冷媒が循環する複数台の蒸発器と、該各蒸発器に対応して設置された庫内循環用送風機とを備え、該各蒸発器を断続的に冷却運転するとともに、該各庫内循環用送風機を駆動し該各蒸発器で冷却された空気を各商品収納室に循環する自動販売機において、
　前記各商品収納室の庫外温度を検知する複数の温度センサを有し、
　前記各庫内循環用送風機は、これに対応する前記蒸発器の冷却運転の開始及び停止に同期して起動及び停止するとともに、前記各温度センサが商品が凍結する温度或いはその近傍の温度を検知したときはこれに対応する蒸発器の冷却運転停止時においても予め設定された時間に亘って駆動するよう設定した、
　ことを特徴とする自動販売機。」
　
２．引用例
２−１．これに対して、原審で拒絶査定時に周知例として引用された特開昭５７−４８１８６号公報（以下、「引用例１」という）には、以下のような事項が記載されている。
　「この発明はこのような事情に鑑みて為されたもので、複数の物品収納庫を１個の共通のコンプレッサを使用して冷却させるものにおいて、各収納庫間に温度差が発生してもそれを補正して各収納庫間の冷却状態を略均一にでき、しかも省エネルギー化を図ることができる自動販売機を提供することを目的とする。」（第(６)頁左上欄第１７行目〜右上欄第３行目）、
　「第１図に示すように一方の物品収納庫Ａに対応して冷気循環用の第１のエバファンモータ１、第１のリレー２、第１の冷媒電磁弁３、第１の加熱用ヒータ４、第１のコールドサーモ５、第１のホットサーモ６を設けている。また他方の物品収納庫Ｂに対応して冷気循環用の第２のエバファンモータ７、第２のリレー８、第２の冷媒電磁弁９、第２の加熱用ヒータ１０、第２のコールドサーモ１１、第２のホットサーモ１２を設けている。」（第(６)頁右上欄第６〜１５行目）、
　「また前記両収納庫Ａ、Ｂに共通にコンプレッサ１７およびコンデンサモータ１８を設け、それらを前記ラインｌ1、ｌ2間に前記第１のリレー２の第２の切換接点２２における常閉側および第１のホット・コールド切換スイッチ１３のコールド側接点１３ｃを直列に介して接続するとともに前記第２のリレー８の第２切換接点２３における常閉側および第３のホット・コールド切換スイッチ１５のコールド側接点１５ｃを直列に介して接続している。」（第(６)頁右下欄第１４行目〜第(７)頁左上欄第３行目）、
　「第２図は、冷却サイクルを示すもので前記コンプレッサ１７から発生する冷媒をコンデンサ２５、ドライヤー２４、前記第１の冷媒電磁弁３，キャピラリチューブ２０、および前記収納庫Ａ内に設けられた第１のエバポレータ１９を順次介して循環させるとともに、上記コンデンサ２５、上記ドライヤー２４、前記第２の冷媒電磁弁９、キャピラリチューブ２７、および前記収納庫Ｂに設けられた第２のエバポレータ２６を順次介して循環させるようにしている。」（第(７)頁左上欄第４〜１３行目）、
　「このように構成された本発明実施例において、例えば第１〜第４のホット・コールド切換スイッチ１３、１４、１５、１６をそれぞれコールド側接点１３ｃ、１４ｃ、１５ｃ、１６ｃセットしておけば両収納庫Ａ、Ｂ内の物品は冷却販売される。すなわち収納庫Ａにおいては第１のホットサーモ６および第１のコールドサーモ５を介して第１のリレーのコイル２ｃが通電され、そのリレー２の第１〜第３の切換接点２１、２２、２３の常開側が閉成される。また収納庫Ｂにおいては第２のホットサーモ１２および第２のコールドサーモ１１を介して第２のリレー８のコイル８ｃが通電されそのリレー８の第１〜第３の切換接点８１、８２、８３の常開側が閉成される。しかして第１、第２のエバファンモータ１、７、コンプレッサ１７およびコンデンサモータ１８への通電が行われるとともに両冷媒電磁弁３、９への通電が行われる。したがってコンプレッサ１７が動作して冷媒が発生し、その冷媒が一方は第１の冷媒電磁弁３、キャピラリチューブ２０、第１のエバポレータ１９を介して循環され、他方は第２の冷媒電磁弁９、キャピラリチューブ２７、第２のエバポレータ２６を介して循環される。また第１、第２のエバファンモータ１、７が動作される。」（第(７)頁右上欄第７行目〜左下欄１２行目）、
　「こうして収納庫Ａ、Ｂはそれぞれエバポレータ１９、２６から発生する冷気がエバファンモータ１、７によって循環され冷却される。そして例えば収納庫Ａ側が収納庫Ｂ側より低下し、設定された低温レベルより低下することがあると第１のコールドサーモ５が開放し、第１のリレー２のコイル２ｃへの通電を停止させる。しかして第１の冷媒電磁弁３への通電が断たれ、その電磁弁は閉塞される。こうして第１のエバポレータ１９への冷媒の供給が停止される。また同時に第１のエバファンモータ１が停止される。しかしコンプレッサ１７およびコンデンサモータ１８は第２のリレー８の第２の切換接点８２の常開側および第３のホット・コールド切換スイッチ１５のコールド側接点１５ｃを介して通電され続けるので、コンプレッサ１７からの冷媒は第２のエバポレータ２６のみを介して循環され、収納庫Ｂは引き続き冷却される。勿論第２のエバファンモータ７は動作状態を保持している。」（第(７)頁左下欄第１３行目〜右下欄第１２行目）、
　「このように各収納庫Ａ、Ｂの温度をそれぞれ各収納庫Ａ、Ｂに対応して設けられたコールドサーモで検知し、設定された低温レベルより低下する収納庫があるとその収納庫のエバポレータに対する冷媒の供給のみを停止させるようにし、他の収納庫のエバポレータに対する冷媒の供給を継続させるようにしている」（第(７)頁右下欄第１３〜１９行目）、
　「そしてエバポレータに対する冷媒の供給が停止されたときにはそのエバポレータに対応して設けられたエバファンモータの動作も停止されるから、エバファンモータを冷却制御に効率よく動作させることができ省エネルギー化を図ることができる。」（第(８)頁左上欄第３〜９行目）。
　そうすると、引用例１には、以下のような発明が記載されている。
　「一台のコンプレッサと、各々の冷却運転時に該コンプレッサからの冷媒が循環する二台のエバポレータと、該各エバポレータに対応して設置された物品収納庫の冷気循環用エバファンモータとを備え、該各エバポレータを断続的に冷却運転するとともに、該各物品収納庫の冷気循環用エバファンモータを駆動し該各エバポレータで冷却された空気を各物品収納庫に循環する自動販売機において、
　前記各物品収納庫の冷気循環用エバファンモータは、これに対応する前記エバポレータの冷却運転の開始及び停止に同期して起動及び停止するようにようにした自動販売機。」
２−２．また原査定の拒絶の理由において引用された特開昭５９−２２９１６１号公報（以下、「引用例２」という）には、以下のような事項が記載されている。
　「従来この種の冷蔵貯蔵庫としては自動販売機が一般に知られているので、従来の自動販売機を第１図から第４図を参考に説明する。」（第(１)頁右下欄第７〜９行目）、
　「本発明の冷蔵貯蔵庫は、ａ、ｂの両接点を有する第１のスイッチ及びｃ、ｄの両接点を有する第２のスイッチを設け、第１のスイッチのａ接点を介して、電動圧縮機、コンデンサファンを電源に接続する。また、第１のスイッチのａ接点と第２のスイッチのｃ接点を接続し、第１のスイッチのｂ接点と第２のスイッチのｄ接点を接続し、かつ、送風ファンを第１のスイッチ、第２のスイッチの共通端子を介して電源に接続している。そして第１のスイッチにより冷却サイクルの電動圧縮機、コンデンサファン、送風ファンの運転を制御し、適正な冷却量を得て、かつ、第１のスイッチがａ接点からｂ接点へ反転すると同時に第２のスイッチがｃ接点からｄ接点へ反転することにより送風ファンのみを回転させ、かつ、エバポレータの温度により、エバポレータの除霜を検知し、第２のスイッチをｄ接点からｃ接点へ反転させ送風ファンを停止してエバポレータでの霜残りを防止できる。また、低外気温時には第２のスイッチが閉路し送風ファンが回転することによりモータの発熱温度で庫内商品の凍結を防止するものである。」（第(２)頁右下欄第６行目〜第(３)頁左上欄第６行目）、
　「また、外気温が庫内商品が凍結するような−５℃以下の温度になっても、第２のスイッチ１５Ｂの接点ｄ側に接点が移るため、接点ｂ、ｄ、コモン端子１５Ｂ’と接続され、送風ファン６のみが回転し、送風ファン６の発熱により庫内の温度低下を防止して商品の凍結を防止できる。」（第(３)頁右下欄第１９行目〜第(４)頁左上欄第４行目）。
　
３．対比
  ここで、本願発明と引用例１に記載された発明とを対比する。
　引用例１の発明の「コンプレッサ」、「エバポレータ」、「物品収納庫の冷気循環用エバファンモータ」、「物品収納庫」は、その機能からして、それぞれ、本願発明の「圧縮機」、「蒸発器」、「庫内循環用送風機」、「商品収納室」に相当し、そうすると、引用例１の発明と本願発明とでは、
　「一台の圧縮機と、各々の冷却運転時に該圧縮機からの冷媒が循環する複数台の蒸発器と、該各蒸発器に対応して設置された庫内循環用送風機とを備え、該各蒸発器を断続的に冷却運転するとともに、該各庫内循環用送風機を駆動し該各蒸発器で冷却された空気を各商品収納室に循環する自動販売機において、
　前記各庫内循環用送風機は、これに対応する前記蒸発器の冷却運転の開始及び停止に同期して起動及び停止するようにした自動販売機。」
で、一致し以下の点で相違する。
　相違点：本願発明が、各庫内循環用送風機は、これに対応する前記蒸発器の冷却運転の開始及び停止に同期して起動及び停止するように構成した自動販売機において、「各商品収納室の庫外温度を検知する複数の温度センサを有し、各温度センサが商品が凍結する温度或いはその近傍の温度を検知したときはこれに対応する蒸発器の冷却運転停止時においても予め設定された時間に亘って駆動するよう設定した」構成を有しているのに対し、引用例１の発明が、各庫内循環用送風機は、これに対応する前記蒸発器の冷却運転の開始及び停止に同期して起動及び停止するように構成した自動販売機であるものの、「各商品収納室の庫外温度を検知する複数の温度センサを有し、各温度センサが商品が凍結する温度或いはその近傍の温度を検知したときはこれに対応する蒸発器の冷却運転停止時においても予め設定された時間に亘って駆動するよう設定した」構成を有さない点。
　
４．判断
　引用例２に、自動販売機にも適用できる冷蔵貯蔵庫において、庫内温度が低下すると送風ファン（本願発明の「庫内循環用送風機」に相当）を回転させたままエバポレータ（本願発明の「蒸発器」に相当）を停止させ、送風ファンからの熱によって庫内温度のさらなる低下を防止し、また、これにより外気温が庫内商品を凍結させるような温度になっても、商品が凍結しないようにする点が記載されている以上、引用例１に記載された自動販売機において、外気温が庫内商品を凍結させるような温度になり蒸発器の冷却運転が停止しても、送風ファンからの熱によって商品が凍結しないようにすることは当業者が容易に想到し得るものである。
　この際、引用例２のものは、庫内温度が低下すると送風ファン（本願発明の「庫内循環用送風機」に相当）を回転させたままエバポレータ（本願発明の「蒸発器」に相当）を停止させ、送風ファンは庫内温度が所定温度になるまで作動するが、これに代えて、各商品収納室の庫外温度を検知する複数の温度センサを設け、庫内循環用送風機は、各温度センサが商品が凍結する温度或いはその近傍の温度を検知したときはこれに対応する蒸発器の冷却運転停止時においても予め設定された時間に亘って駆動することは、単なる設計事項である。
　
５．むすび
　したがって、本願請求項１に係る発明は、引用例１、２の発明に基づいて当業者が容易に発明をすることができたものと認められ、特許法第２９条第２項の規定により特許を受けることができない。
　よって、結論のとおり審決する。